(57)【要約】【課題】アルバムを開いたときに帳合部をはさんで隣接する２枚の写真の隙間がなるべく小さくなるようにする。【解決手段】プリント画像用紙が貼付される複数の台紙２の帳合辺３が帳合製本されたアルバム１である。親水性の平坦な厚紙からなる複数の台紙２と、複数の台紙２それぞれの表面に付着された粘着層４と、プリント画像用紙の厚さに相当する厚さを有し、粘着層４全体を覆うように配置されて、台紙表面に粘着層４を残して離脱可能で、可撓性かつ疎水性の平坦なセパレータフィルム５と、複数の台紙２それぞれの帳合辺３の端部に塗布された水溶性の糊材８と、糊材８によって複数の台紙２それぞれの帳合辺３と接合されてこれらの接合辺３同士を互いに連結する可撓性かつ親水性の背固め材９と、を有する。【選択図】図２
2009172935.tif 000002
【特許請求の範囲】
【請求項１】
プリント画像用紙を貼付する複数の台紙を帳合製本したアルバムであって、
前記複数の台紙はそれぞれ親水性の平坦な厚紙とその少なくとも一方の表面に付着された粘着層および粘着層全体を覆うように配置されたセパレータフィルムを具備しており、該セパレータフィルムが前記厚紙の各ページごとにその厚紙から完全に離脱可能であり厚さが１５０ないし３００μｍの可撓性かつ疎水性のフィルムを使用すること、を特徴とするアルバム。
【請求項２】
前記複数の台紙それぞれの帳合辺の端部に塗布された水溶性の糊材と、前記糊材によって前記複数の台紙それぞれの帳合辺と接合されてこれらの接合辺同士を互いに連結する可撓性かつ親水性の布または紙の背固め材を有すること、を特徴とする請求項１に記載のアルバム。
【請求項３】
前記台紙の帳合辺に隣接して前記粘着層が付着されていない非粘着部が形成され、前記セパレータフィルムの一部がこの非粘着部を覆っていること、を特徴とする請求項１または請求項２に記載のアルバム。
【請求項４】
前記セパレータフィルムは、ポリエチレン、ポリエチレン酢酸ビニル、アクリル不織布、スチレン不織布のいずれかからなること、を特徴とする請求項１ないし請求項３のいずれか一項に記載のアルバム。
【発明の詳細な説明】
【技術分野】
【０００１】
この発明は、粘着剤を用いて写真などのプリント画像用紙を貼付する台紙を複数枚帳合製本してなるアルバムに関する。
【背景技術】
【０００２】
複数枚の台紙を帳合したアルバムで、各台紙の表面に、写真などのプリント画像用紙（印画紙）を貼付するための粘着層を付着させたものが知られている。
【０００３】
市販のアルバムの多くの場合では、粘着層の上に透明の保護フィルムが配置されている（特許文献１参照）。ユーザが、初めに保護フィルムをはがして、自ら用意した写真のプリント画像用紙を露出した粘着層の上に載置して、その後そのプリント画像用紙および粘着層の上に保護フィルムを被せることによりプリント画像用紙の安定保持を図っている。この場合、プリント画像用紙の周囲に粘着層が存在し、その粘着層と保護フィルムとが粘着しあうことが必要である。
【特許文献１】特許第３６７０７５６号公報
【特許文献２】特開平１０−７１７７８号公報
【発明の開示】
【発明が解決しようとする課題】
【０００４】
上述の従来技術の構成では、プリント画像用紙の周囲に粘着のための空白部が必要であり、そのため、アルバム全体を縁なしの写真集のような構成とすることはできなかった。特に、見開き２ページに２枚の写真を並べて連続したパノラマ写真のようにしようとする場合、帳合辺に沿って粘着のための空白部が存在すると２枚の写真の一体感が損なわれる。
【０００５】
ところで、粘着層全体を覆うようにプリント画像用紙を載置して保護フィルムを用いない構成とすることが考えられる（特許文献２参照）。この場合、アルバムの販売時には粘着層を覆うようにセパレータ（離型紙）が配置されて、ユーザがそのセパレータをはがして、露出した粘着層の上にユーザが用意した写真のプリント画像用紙を配置する。この場合はプリント画像用紙の周囲に粘着層を配置する必要がない。しかし、特許文献２に開示された構造では、厚紙である台紙を折り曲げてその折り曲げ部分を帳合部とするため、アルバムを開いたときにその見開きページの帳合部をはさんで隣接する２枚の写真の間に相当幅の隙間を形成せざるをえない。
【０００６】
本発明は上記事情に鑑みてなされたものであって、アルバムを開いたときに帳合部をはさんで隣接する２枚の写真などのプリント画像用紙の隙間がなるべく小さくなるようなアルバムを提供することを目的とする。
【課題を解決するための手段】
【０００７】
上記目的を達成するために、本発明に係るアルバムは、プリント画像用紙を貼付する複数の台紙を帳合製本したアルバムであって、前記複数の台紙はそれぞれ親水性の平坦な厚紙とその少なくとも一方の表面に付着された粘着層および粘着層全体を覆うように配置されたセパレータフィルムを具備しており、該セパレータフィルムが前記厚紙の各ページごとにその厚紙から完全に離脱可能であり厚さが１５０ないし３００μｍの可撓性かつ疎水性のフィルムを使用すること、を特徴とする。
【発明の効果】
【０００８】
本発明によるアルバムによれば、アルバムを開いたときに帳合部をはさんで隣接する２枚の写真の隙間をきわめて小さくすることができる。また、アルバムを開くときやさらにセパレータをはずすときにアルバムの帳合の健全性を維持することができ、しかも、アルバムを開いたときにその見開きの２ページが平坦に開いた状態を保持できる。しかも、アルバムが製造され販売されるときとユーザがこれにプリント画像用紙を貼付したときとでアルバムの厚さにあまり変化がないので、アルバム全体の形状を美しく保つことができる。
【発明を実施するための最良の形態】
【０００９】
以下に、図面を参照しながら、本発明に係るアルバムの実施の形態について説明する。図１は本発明に係るアルバムの実施の形態の斜視図、図２は図１のII−II線矢視部分拡大立断面図、図３は図１のIII−III線矢視部分拡大立断面図である。
【００１０】
アルバム１は、複数枚（たとえば１０枚）の台紙２が重ねられ、その一辺（帳合辺）３で帳合されている。台紙２は、平坦な長方形の親水性の厚紙からなる。台紙２の形状および大きさはこれに貼り付けられるプリント画像用紙（印画紙）７の形状および大きさとほぼ同じものとする。
【００１１】
各台紙２の両面に粘着層４が付着されている。台紙２の帳合辺３に沿って粘着層４が形成されていない領域、すなわち非粘着部６が形成されている。粘着層４はたとえば、アクリル系粘着剤またはアクリルエマルジョン粘着剤が好ましい。
【００１２】
台紙２のほぼ全表面を覆うようにセパレータフィルム５が取り付けられている。セパレータフィルム５は、少なくとも粘着層４全体を覆い、さらに非粘着部６の少なくとも一部を覆っている。セパレータフィルム５は可撓性かつ疎水性であって平坦である。セパレータフィルム５は、好ましくは、たとえば、ポリエチレン、ポリエチレン酢酸ビニル、アクリル不織布、スチレン不織布のいずれかからなる。たとえばこのアルバムを購入したユーザがセパレータフィルム５をはがしたときに、台紙２の表面に粘着層４が残り、その粘着層４の上に写真のプリント画像用紙７を貼り付けることができる。セパレータフィルム５の厚さはプリント画像用紙プリント画像用紙厚さと同程度であり、通常のプリント画像用紙の厚さ１５０ないし３００μｍと同程度であることが好ましい。ただし、特別な厚さのプリント画像用紙に合わせた特殊仕様のセパレータフィルム５を用いることもできる。
【００１３】
台紙２の帳合辺３は、水溶性の糊材８によって背固め材９に接着され、この背固め材９によって互いに帳合されている。背固め材９は、たとえば、ナイロントリコット、キャラコ、木綿繊維などの布や、クラフト用紙などの、薄くて可撓性があり、かつ親水性の材料が好ましい。帳合に当たって、あらかじめ台紙２に粘着層４を付着させ、その上にセパレータフィルム５を貼り付けたものを重ねてそろえ、帳合辺３の端部に糊材８を塗布する。このとき、糊材８が水溶性、台紙２が親水性、セパレータフィルム５が疎水性、背固め材９が親水性であることにより、糊材８は台紙２と背固め材９とを接着し、しかも、セパレータフィルム５を接着することはない。これにより、糊材８の乾燥・接着後にセパレータフィルム５をはがすことができ、しかもそのときに台紙２と背固め材９が分離することがない。
【００１４】
この実施の形態では、図３に示すように、帳合辺３の反対側の辺でセパレータフィルム５の先端と台紙２の先端と粘着層４の先端の位置が合致している。このような構造であるから、台紙２の表面に粘着層４を付着させセパレータフィルム５を貼付した状態のものの先端部をせん断することにより、帳合前の状態のものを簡単に製造することができる。
【００１５】
台紙２をたとえば１０枚重ねた外側には、曲がりにくい厚紙などからできた表紙１０が取り付けられている。
【００１６】
ユーザがこのアルバム１にプリント画像用紙７を貼り付けるに当たっては、まず、プリント画像用紙７を貼り付けるページのセパレータフィルム５をはがして粘着層４を露出させる。そのつぎにプリント画像用紙７を粘着層４の上に載せることによりプリント画像用紙７と粘着層４とを接合させる。セパレータフィルム５とプリント画像用紙７の大きさおよび厚さがそれぞれほぼ等しいので、アルバム１の各ページにプリント画像用紙７を貼り付けたときは、図２および図３のセパレータフィルム５がプリント画像用紙７で置き換えられた状態になる。
【００１７】
以上説明した実施の形態によれば、アルバムを開いたときに帳合部をはさんで隣接する台紙２の帳合辺３同士の間隔は、背固め材９と糊材２の厚さだけのきわめて小さなものとすることができ、しかも台紙２と同じ大きさのプリント画像用紙７を台紙２の上に貼ることができる。さらに、アルバムを開いたときに、見開きの２ページを平坦にすることができる。したがって、このアルバムの見開き２ページに２枚の写真を貼って、連続したパノラマ写真のように見せることができる。
【００１８】
また、この実施の形態では、アルバムの製造販売時と、ユーザがアルバムにプリント画像用紙を貼って使用しているときとでアルバムの厚さがほとんど変わらないので、プリント画像用紙を貼ったときにアルバム全体の形が崩れることがなく、快適に使用を続けることができる。
【００１９】
また、水溶性の糊材８が台紙２と背固め材９とを接着し、セパレータフィルム５を接着することはないので、アルバムの帳合の健全性を維持しつつセパレータフィルム５を容易にはがすことができる。さらに、台紙２の帳合辺３に沿って非粘着部６が形成され、この非粘着部６の上にセパレータフィルム５の端部が位置するので、その部分のセパレータフィルム５を容易につまんで引っ張ることができる。
【００２０】
また、台紙２とプリント画像用紙７の形状および大きさを合わせるので、プリント画像用紙７が貼り付けられた状態で、台紙２に付着させた粘着層４が露出するのを避けることができる。
【００２１】
以上説明した実施の形態は単なる例示であって、本発明はこれに限定されるものではない。たとえば、上記実施の形態では台紙の両面に粘着層を付着させてセパレータフィルムを貼り付けるものとしたが、粘着層およびセパレータフィルムを台紙の片面のみに配置する構造であってもよい。
【００２２】
また、上記実施の形態では、図３に示すように帳合辺３の反対側の辺でセパレータフィルム５の先端と台紙２の先端と粘着層４の先端が合致するようにしたが、このように先端部が合致することは必須要件ではない。たとえば粘着層の先端を後退させれば、先端部にも非粘着部ができ、その部分からセパレータフィルムを引き離すことが容易になる。
【図面の簡単な説明】
【００２３】
【図１】本発明に係るアルバムの実施の形態の開いた状態を示す斜視図である。
【図２】図１のII−II線矢視部分拡大立断面図である。
【図３】図１のIII−III線矢視部分拡大立断面図である。
【符号の説明】
【００２４】
１  ：  アルバム
２  ：  台紙
３  ：  帳合辺
４  ：  粘着層
５  ：  セパレータフィルム
６  ：  非粘着部
７  ：  プリント画像用紙（印画紙）
８  ：  糊材
９  ：  背固め材
１０  ：  表紙
【図１】
2009172935.tif 000003
【図２】
2009172935.tif 000004
【図３】
2009172935.tif 000005